(57)【要約】【課題】保存液が容器からこぼれることを防止し、取扱いの簡単な採便容器を提供する。【解決手段】採便容器１は、容器本体１１の入口部１１ａから採便部材１０の採便部２１が挿入され、手持部２０が入口部１１ａに嵌め込まれるように構成され、手持部２０が入口部１１ａに嵌め込まれた状態で蓋体１２が入口部１１ａに取り付けられて容器本体１１の入口部１１ａを気密に閉鎖しつつ、蓋体１２が手持部２０と嵌合して採便部材１０を保持することができ、その容器本体１１の入口部１１ａの閉鎖の際に手持部２０の孔開け部３１が蓋体１２の保存液収容部１００の下面の隔壁１０２に孔を開け保存液収容部１００の保存液Ａが通液部３０を通って容器本体１１の内部に流れ込むように構成され、さらに蓋体１２が採便部材１０を保持しながら容器本体１１から取り外されるように構成されている。【選択図】図１８
2019164002.tif 000002
【特許請求の範囲】
【請求項１】
便を採取するための採便部材と、
上面側に入口部を有し、便を収容可能な容器本体と、
前記容器本体の入口部に取り付け可能な蓋体と、を備え、
前記採便部材は、筒状の手持部と、前記手持部から下方に延びる採便部を有し、
前記手持部は、上下方向に貫通する通液部と、上方に突出する孔開け部を有し、
前記蓋体は、その内部に便の保存液を密封する保存液収容部を有し、
この採便容器は、
前記容器本体の入口部から前記採便部材の採便部が挿入され、前記手持部が前記入口部に嵌め込まれるように構成され、
前記手持部が前記入口部に嵌め込まれた状態で前記蓋体が前記入口部に取り付けられて前記容器本体の入口部を気密に閉鎖しつつ、前記蓋体が前記手持部と嵌合して前記採便部材を保持することができ、その前記容器本体の入口部の閉鎖の際に前記手持部の孔開け部が前記蓋体の保存液収容部の下面の隔壁に孔を開け前記保存液収容部の保存液が前記通液部を通って前記容器本体の内部に流れ込むように構成され、
さらに前記蓋体が前記採便部材を保持しながら前記容器本体から取り外されるように構成されている、採便容器。
【請求項２】
前記蓋体と前記手持部は、互いに嵌合する嵌合機構を有し、
前記嵌合機構は、
前記蓋体に設けられた環状の溝と、
前記手持部に設けられ、前記溝に嵌め込み可能な環状の突条部と、を有する、請求項１に記載の採便容器。
【請求項３】
前記突条部は、前記手持部の最外周に設けられ、前記溝よりも径が大きい、請求項２に記載の採便容器。
【請求項４】
前記蓋体と前記手持部との間の前記通液部以外の部分からの通液を止めるシール機構を有する、請求項１〜３のいずれかに記載の採便容器。
【請求項５】
前記孔開け部は、前記手持部の中心軸上の中心部に設けられている、請求項１〜４のいずれかに記載の採便容器。
【請求項６】
前記孔開け部の周りに前記通液部が設けられている、請求項５に記載の採便容器。
【請求項７】
前記蓋体の保存液収容部の下面の隔壁には、孔開けを促進するための切り込みが設けられている、請求項１〜６のいずれかに記載の採便容器。
【請求項８】
前記蓋体の保存液収容部は、下面の隔壁に向かって縮径する縮径部を有している、請求項１〜７のいずれかに記載の採便容器。
【請求項９】
前記採便部と前記手持部は、互いに連結する連結機構を有している、請求項１〜８のいずれかに記載の採便容器。
【発明の詳細な説明】
【技術分野】
【０００１】
本発明は、採便容器に関する。
【背景技術】
【０００２】
検査等で採便を行う際に用いられる採便容器がある。従来の採便容器には、採便スティックの採便部で採便し、その採便スティックを、保存液が収容された採便容器本体に挿入し、その採便スティックを保持するスティックホルダで採便容器本体の上面を閉じて密封するものがある（特許文献１参照）。
【先行技術文献】
【特許文献】
【０００３】
【特許文献１】特開２０１６−１７７８８号公報
【発明の概要】
【発明が解決しようとする課題】
【０００４】
しかしながら、上述のような採便容器では、採便作業時に、採便容器本体が開口しているので、保存液がこぼれる恐れがある。また、採便容器から保存液がこぼれないように採便作業者が注意を払う必要があり、採便容器の取り扱いがむずかしい。
【０００５】
本出願はかかる点に鑑みてなされたものであり、保存液が容器からこぼれることを防止し、取扱いが簡単な採便容器を提供することをその目的とする。
【課題を解決するための手段】
【０００６】
本発明の一態様に係る採便容器は、便を採取するための採便部材と、上面側に入口部を有し、便を収容可能な容器本体と、前記容器本体の入口部に取り付け可能な蓋体と、を備え、前記採便部材は、筒状の手持部と、前記手持部から下方に延びる採便部を有し、前記手持部は、上下方向に貫通する通液部と、上方に突出する孔開け部を有し、前記蓋体は、その内部に便の保存液を密封する保存液収容部を有し、この採便容器は、前記容器本体の入口部から前記採便部材の採便部が挿入され、前記手持部が前記入口部に嵌め込まれるように構成され、前記手持部が前記入口部に嵌め込まれた状態で前記蓋体が前記入口部に取り付けられて前記容器本体の入口部を気密に閉鎖しつつ、前記蓋体が前記手持部と嵌合して前記採便部材を保持することができ、その前記容器本体の入口部の閉鎖の際に前記手持部の孔開け部が前記蓋体の保存液収容部の下面の隔壁に孔を開け前記保存液収容部の保存液が前記通液部を通って前記容器本体の内部に流れ込むように構成され、さらに前記蓋体が前記採便部材を保持しながら前記容器本体から取り外されるように構成されている、採便容器である。
【０００７】
本態様によれば、蓋体が容器本体を閉鎖したときに保存液が容器本体の内部に流れ込むので、採便作業中に保存液が容器からこぼれることがなく、採便容器の取り扱いが簡単になる。
【０００８】
前記蓋体と前記手持部は、互いに嵌合する嵌合機構を有し、前記嵌合機構は、前記蓋体に設けられた環状の溝と、前記手持部に設けられ、前記溝に嵌め込み可能な環状の突条部と、を有するものであってもよい。
【０００９】
前記突条部は、前記手持部の最外周に設けられ、前記溝よりも径が大きくてもよい。
【００１０】
採便容器は、前記蓋体と前記手持部との間の前記通液部以外の部分からの通液を止めるシール機構を有していてもよい。
【００１１】
前記孔開け部は、前記手持部の中心軸上の中心部に設けられていてもよい。
【００１２】
前記孔開け部の周りに前記通液部が設けられていてもよい。
【００１３】
前記蓋体の保存液収容部の下面の隔壁には、孔開けを促進するための切り込みが設けられていてもよい。
【００１４】
前記蓋体の保存液収容部は、下面の隔壁に向かって縮径する縮径部を有していてもよい。
【００１５】
前記採便部と前記手持部は、互いに連結する連結機構を有していてもよい。
【発明の効果】
【００１６】
本発明によれば、保存液が容器からこぼれることを防止し、取扱いが簡単な採便容器を提供することができる。
【図面の簡単な説明】
【００１７】
【図１】採便容器の一例を示す斜視図である。
【図２】採便容器の各部材を示す分解図である。
【図３】採便部材の分解図である。
【図４】手持部の上面図である。
【図５】手持部の縦断面図である。
【図６】手持部の爪部を示す断面図である。
【図７】手持部の下面図である。
【図８】採便部の上端部を示す拡大図である。
【図９】爪部と嵌め合い部との嵌め合いを示す説明図である。
【図１０】採便部と手持部を連結した状態の採便部材の上面図である。
【図１１】容器本体の縦断面図である。
【図１２】蓋体の縦断面図である。
【図１３】完全に嵌合する前の容器本体と蓋体の嵌合機構を示す説明図である。
【図１４】嵌合した状態の容器本体と蓋体の嵌合機構を示す説明図である。
【図１５】容器本体に採便部材をはめ込んだ状態を示す説明図である。
【図１６】容器本体に採便部材をはめ込んだ状態を示す側面図である。
【図１７】隔壁が圧壊される前の状態を示す採便容器の説明図である。
【図１８】蓋体を容器本体に取り付けた状態を示す採便容器の説明図である。
【図１９】採便部材が蓋体に保持された状態を示す側面図である。
【図２０】採便部材が貫通孔のあるカップ部を有している採便容器の説明図である。
【発明を実施するための形態】
【００１８】
以下、図面を参照して、本発明の好ましい実施の形態について説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本発明を説明するための例示であり、本発明はこの実施の形態に限定されるものではない。
【００１９】
図１は本実施の形態にかかる採便容器１の斜視図であり、図２は採便容器１の各部材を示す分解図である。図２に示すように採便容器１は、便を採取するための採便部材１０と、上面側に入口部１１ａを有し、便を収容可能な容器本体１１と、容器本体１１の入口部１１aに取り付け可能な蓋体１２を備えている。採便部材１０、容器本体１１及び蓋体１２の材質や製造方法は特に限定されるものではないが、それぞれが例えば樹脂により成型されている。なお、本明細書において上方や下方は、図１及び図２に示すように蓋体１２を上にし、容器本体１１を下にしたときの採便容器１を基準にした方向である。
【００２０】
採便部材１０は、手持部２０と、手持部２０から下方に延びる採便部２１を有している。手持部２０と採便部２１は、例えば別体であり別々に成型され、成型後に互いに連結されて採便部材１０を構成している。
【００２１】
図３は、採便部材１０の手持部２０と採便部２１を連結する前の状態を示す。図４は、採便部２１を外した状態の手持部２０の上面図であり、図５は、採便部２１を外した状態の手持部２０の図４のＡ−Ａ断面図である。手持部２０は、円筒状に形成され、内部に通液部３０と孔開け部３１を有している。例えば手持部２０の内部には、上から見て十字状の支持体４０が設けられている。これにより手持部２０の内部には、図４に示すように上から見て４つの開口が形成され、それらの開口が手持部２０を上下方向に貫通する通液部３０となっている。
【００２２】
支持体４０は、互いに直交する第１の支持部４１と第２の支持部４２を有している。第１の支持部４１は、上面から見て手持部２０の中心部を通り手持部２０の直径上に配置され手持部２０の対向する内周面同士を接続している。第２の支持部４２は、第１の支持部４１に直交し、手持部２０の中心部を通り手持部２０の対向する内周面同士を接続している。
【００２３】
第１の支持部４１には、採便部２１を連結するための２つの爪部４３、４４が設けられている。爪部４３、４４は、第１の支持部４１の中心部（手持部２０の中心部）を挟んで反対側に配置されている。爪部４３は、第１の支持部４１の一の側面に設けられ、爪部４４は、爪部４３の反対側である第１の支持部４１の他の側面に設けられている。すなわち、爪部４３、４４は、手持部２０の中心部を対称中心とする点対称の位置に設けられている。爪部４３、４４は、第１の支持部４１の側面に設けられた凹み４５に設けられている。爪部４３、４４は、図６に示すように上方に行くにつれて厚みが増す三角形状を有している。
【００２４】
図７に示すように第２の支持部４２の裏面には、採便部２１を連結するための溝部４６が設けられている。溝部４６は、第２の支持部４２に沿って手持部２０の中心を通る細長形状に形成されている。
【００２５】
図４及び図５に示すように孔開け部３１は、例えば円柱状に形成され、手持部２０の中心軸上にある支持体４０の中心部から上方に突出している。
【００２６】
手持部２０の上部には、蓋体１２と嵌合する嵌合機構５０が設けられている。この嵌合機構５０については後述する。
【００２７】
図５に示すように手持部２０の下部には、容器本体１１の入口部１１ａの内側に嵌め込まれて（圧入されて）保持される環状の嵌め込み部４７が形成されている。嵌め込み部４７の外径は、入口部１１ａの内径よりもわずかに大きく形成されている。
【００２８】
図２に示すように採便部２１は、手持部２０から下方に延びる棒状部６０と、棒状部６０の先端に設けられた容器型のカップ部６１を備えている。
【００２９】
図３及び図８に示すように棒状部６０の手持部２０側の端部には、４枚の羽根板７０が設けられている。羽根板７０は、上方から見て棒状部６０の中心軸から互いに直交する４方向に突出するように十字状に配置されている。直線状に配置された２枚の羽根板７０の上部には、手持部２０の爪部４３、４４と嵌合するための嵌め合い部７１、７２が設けられている。嵌め合い部７１、７２は、板状に形成され、水平方向に貫通した方形の穴８０を有する。嵌め合い部７１、７２は、羽根板７０の上部から上方に突出している。嵌め合い部７１、７２が形成されていない残りの羽根板７０には、上方に突出する突条部７３が形成されている。図９に示すように嵌め合い部７１、７２の穴８０を手持部２０の爪部４３、４４に嵌め込んで採便部２１と手持部２０を連結することができる。また突条部７３を手持部２０の溝部４６に嵌め込んで採便部２１と手持部２０を連結することができる。また、採便部２１と手持部２０が連結されたときに、羽根板７０と支持体４０は、図１０に示すように上面から見て重なる位置にあり、支持体４０と羽根板７０が一体となって手持部２０の内部を４つに分ける隔壁を構成し、これによって手持部２０には上下方向に貫通する４つの通路からなる通液部３０が形成されている。なお、本実施の形態では、爪部４３、４４、嵌め合い部７１、７２、溝部４６及び突条部７３により、手持部２０と採便部２１の連結機構が構成されている。
【００３０】
図１１に示すように容器本体１１は、下面が閉鎖され上面に入口部１１ａを有する円筒状に形成されている。容器本体１１は、採便部２１を入口部１１ａから容器本体１１の内部に挿入し、手持部２０の嵌め込み部４７を入口部１１ａに嵌め込んで採便部材１０を保持することができる。入口部１１ａの外周面には、蓋体１２を嵌め込むためのネジ部９０が形成されている。
【００３１】
蓋体１２は、図１２に示すように上面が閉鎖され下面に開口１２ａを有する円筒状に形成されている。蓋体１２は、その内部の上部に保存液収容部１００を有している。保存液収容部１００には、予め保存液Ａが充填されている。保存液Ａの充填は、保存液収容部１００の天板１０１を外した状態で保存液収容部１００内に保存液Ａを入れ、その後天板１０１を蓋体１２の本体に溶着することによって行われている。
【００３２】
保存液収容部１００の下部には、下方に近づくにつれて縮径する縮径部１００ａが形成され、保存液収容部１００の最下面には、円板状の隔壁１０２が形成されている。隔壁１０２には、円形の切り込み１０３が形成されている。隔壁１０２は、１ｍｍ〜２ｍｍ程度の厚みの薄板状に形成されており、切り込み１０３は、隔壁１０２の厚みの９０％以上の深さで形成されている。隔壁１０２は、採便部材１０の孔開け部３１により下から押されると簡単に圧壊するように構成されている。
【００３３】
蓋体１２の保存液収容部１００の下面と採便部材１０の手持部２０の上面との間には、蓋体１２と採便部材１０とを嵌合する嵌合機構５０が形成されている。ここで嵌合機構５０について説明する。
【００３４】
図５に示すように採便部材１０の手持部２０の上面には、最外周で上方に突出する環状の第１の突条部１２０と、第１の突条部１２０よりも内側で上方に突出する環状の第２の突条部１２１と、第２の突条部１２１よりも内側で上方に突出する環状の第３の突条部１２２が設けられている。第１の突条部１２０と第２の突条部１２１との間には、環状の第１の溝１２３が形成され、第２の突条部１２１と第３の突条部１２２との間には、環状の第２の溝１２４が形成されている。手持部２０の第１の突条部１２０より下の外周面には、中心軸方向に向けて内側に凹んだ環状の溝１２５が形成されている。第１の突条部１２０は、第２の突条部１２１よりも低い位置に形成され、第１の突条部１２０の上端面の位置が、第２の突条部１２１の上端面よりも低い。第２の突条部１２１と第３の突条部１２２は、同程度の位置に形成され、上端面同士が同じ高さになるように形成されている。
【００３５】
図１２に示すように蓋体１２の内部の保存液収容部１００の下面には、手持部２０の第１の突条部１２０が入り込む環状の第１の溝１３０と、手持部２０の第２の突条部１２１が入り込む環状の第２の溝１３１と、手持部２０の第３の突条部１２２が入り込む環状の第３の溝１３２が設けられている。第１の溝１３０は、蓋体１２の内部の最外周に設けられ、第２の溝１３１は、第１の溝１３０の内側に設けられ、第３の溝１３２は、第２の溝１３１の内側に設けられている。また第１の溝１３０と第２の溝１３１との間には、下方に突出する環状の第１の突条部１３３が形成され、第２の溝１３１と第３の溝１３２との間には、下方に突出する環状の第２の突条部１３４が形成されている。蓋体１２の保存液収容部１００より下の内周面には、中心軸方向に向けて内側に突出した突条部１３５が形成されている。突条部１３５は、蓋体１２の内周面の同一円周上の複数箇所に設けられている。
【００３６】
図１３に示すように手持部２０の第３の突条部１２２と蓋体１２の第３の溝１３２は、少なくとも手持部２０の孔開け部３１が保存液収容部１００の隔壁１０２に当接したときには第３の突条部１２２の先端が第３の溝１３２内に入るように形成されている。これにより、孔開け部３１により隔壁１０２に穴が開けられたときに保存液収容部１００の保存液Ａが蓋体１２と手持部２０の隙間を通って外部に漏れることを防止することができる。
【００３７】
手持部２０の第１の突条部１２０は、蓋体１２の第１の溝１３０よりもわずかに大きい径を有している。これにより、図１４に示すように第１の突条部１２０は、わずかに内側に撓んで外側に付勢された状態で第１の溝１３０に入り込む。この結果、手持部２０が蓋体１２に保持される。
【００３８】
手持部２０の第３の突条部１２２は、蓋体１２の第３の溝１３２の幅よりも僅かに大きい厚みを有している。これにより、第３の突条部１２２が第３の溝１３２に入り込んだ際に第３の溝１３２の内壁と第３の突条部１２２が気密に接触する。これにより、第３の突条部１２２と第３の溝１３２がシール機構となり、採便容器１の内側空間（保存液収容部１００、通液部３０、容器本体１１の内部）にある保存液Ａが外部に漏れるのを防止できる。
【００３９】
また第３の突条部１２２が第３の溝１３２に入り込んだ際に、蓋体１２の第２の突条部１３４が外側に押されてわずかに撓み、手持部２０の第２の突条部１２１に押し付けられる。これによっても手持部２０が蓋体１２に固定、保持される。
【００４０】
突条部１３５は、例えば手持部２０の第１の突条部１２０、第２の突条部１２１及び第３の突条部１２２が蓋体１２の第１の溝１３０、第２の溝１３１及び第３の溝１３２に奥まで入り込んだときに、溝１２５に入り込むように形成されている。これによっても採便容器１の内側空間と採便容器１の外部との間の気密性が確保される。
【００４１】
図１２に示すように蓋体１２の突条部１３５よりもさらに下の内側面には、容器本体１１の入口部１１ａのネジ部９０と嵌り合うネジ部１４０が形成されている。
【００４２】
次に以上のように構成された採便容器１を用いた採便プロセスについて説明する。
【００４３】
先ず、図２に示す採便部材１０を用いて採便が行われる。ユーザーは、手持部２０を持って、採便部２１のカップ部６１に便を収容する。次にユーザーは、図１５に示すように採便部材１０の採便部２１を容器本体１１の入口部１１ａから挿入し、手持部２０の嵌め込み部４７を容器本体１１の入口部１１ａの内側に嵌め込む。このとき、採便部材１０と容器本体１１の外観は、図１６のようになる。続いてユーザーは、蓋体１２を容器本体１１の入口部１１ａに取り付ける。
【００４４】
このとき、図１７に示すように蓋体１２が、手持部２０が嵌め込まれた容器本体１１の入口部１１ａに嵌め込まれ、蓋体１２が回されて蓋体１２のネジ部１４０が容器本体１１のネジ部９０に嵌められる。この際手持部２０の第３の突条部１２２が蓋体１２の第３の溝１３２に入り込み、孔開け部３１が蓋体１２の隔壁１０２に当接する。さらに蓋体１２が回されると、図１８に示すように孔開け部３１が隔壁１０２を圧壊し、保存液収容部１００の下面の隔壁１０２に孔が開く。これにより、保存液収容部１００の保存液Ａが隔壁１０２の穴を通って落下し、手持部２０の通液部３０を通って容器本体１１の内部に流れ込み溜まる。こうして、容器本体１１内の採便部２１の先端の便が保存液Ａの中に保存される。
【００４５】
上述のように蓋体１２が回されると、手持部２０の第１の突条部１２０、第２の突条部１２１及び第３の突条部１２２が、蓋体１２の第１の溝１３０、第２の溝１３１及び第３の溝１３２に奥まで入り込む。このとき、蓋体１２の内周面の突条部１３５が手持部２０の外周面の溝１２５に嵌り、蓋体１２が容器本体１１に固定され、採便容器１の内部空間が密封される。こうして、採便作業が終了する。
【００４６】
次に、例えば検査機関などの検査者が、便を検査する際には、蓋体１２を持って回し、蓋体１２を容器本体１１から離脱させる。このとき、図１９に示すように蓋体１２は、採便部材１０の手持部２０に嵌合されており手持部２０を保持しているので、採便部材１０も蓋体１２とともに容器本体１１から離脱する。
【００４７】
本実施の形態によれば、採便容器１は、容器本体１１の入口部１１ａから採便部２１が挿入され、手持部２０が入口部１１ａに嵌め込まれるように構成され、手持部２０が入口部１１ａに嵌め込まれた状態で蓋体１２が入口部１１ａに取り付けられて容器本体１１の入口部１１ａを気密に閉鎖しつつ、蓋体１２が手持部２０に嵌合して採便部材１０を保持することができ、その容器本体１１の入口部１１ａの閉鎖の際に手持部２０の孔開け部３１が蓋体１２の保存液収容部１００の下面の隔壁１０２に孔を開け保存液収容部１００の保存液Ａが通液部３０を通って容器本体１１の内部に流れ込むように構成され、さらに蓋体１２が採便部材１０を保持しながら容器本体１１から取り外されるように構成されている。これにより、蓋体１２が容器本体１１を閉鎖したときに、保存液Ａが容器本体１１に流れ込むので、採便作業中に保存液Ａが容器からこぼれることを防止し、採便容器１の取扱いが簡単になる。また、蓋体１２は採便部材１０を保持しながら、容器本体１１から取り外されるので、例えば検査人が便を検査する際に、採便作業時に採便者が触れた手持部２０に触れる必要がなく、衛生的である。また、蓋体１２の隔壁１０２が解放された後、蓋体１２の保存液収容部１００と手持部２０の通液部３０と容器本体１１の内部が連通し、採便容器１内に大きな内部空間ができるので、保存液Ａと便を撹拌しやすくなる。
【００４８】
採便容器１は、蓋体１２と手持部２０を嵌合する嵌合機構５０を有し、嵌合機構５０は、蓋体１２に設けられた環状の溝１３０、１３１、１３２と、手持部２０に設けられ、溝１３０に嵌め込み可能な環状の突条部１２０、１２１、１２２を有しているので、蓋体１２と手持部２０の嵌合及び固定を好適に行うことができる。
【００４９】
第１の突条部１２０は、手持部２０の最外周に設けられ、第１の溝１３０よりも径が大きいので、蓋体１２が採便部材１０を好適に保持することができる。
【００５０】
採便容器１は、蓋体１２と手持部２０との間の通液部３０以外の部分からの通液を止めるシール機構、例えば第３の突条部１２２と第３の溝１３２を有している。これにより、蓋体１２と手持部２０の間から保存液Ａが漏れることを確実に防止できる。
【００５１】
孔開け部３１は、手持部２０の中心軸上の中心部に設けられているので、より弱い力で保存液収容部１００の下面の隔壁１０２に孔を開けることができる。
【００５２】
孔開け部３１の周りに通液部３０が設けられているので、保存液収容部１００の保存液Ａが均等に滞りなく容器本体１１の内部に流れ込むことができる。
【００５３】
蓋体１２の保存液収容部１００の下面の隔壁１０２の孔開け部３１に対応する部分には、孔開けを促進するための切り込み１０３が設けられているので、より弱い力で隔壁１０２に孔を開けることができる。
【００５４】
蓋体１２の保存液収容部１００は、下面の隔壁１０２に向かって縮径する縮径部１００ａを有しているので、孔を開ける隔壁１０２の面積を小さくすることができ、これによって隔壁１０２により弱い力で確実に孔を開けることができる。
【００５５】
採便部２１と手持部２０は、互いに連結する連結機構を有しているので、別々に成型しその後で連結して組み立てることができる。これにより、より採便に適した複雑形状の採便部材１０を成型することができる。また、一種類の手持部２０に対し、形状等が異なる複数種類の採便部２１を取り付けることも可能となる。
【００５６】
使用前蓋体１２の保存液収容部１００は密封されており、蓋体１２と容器本体１１で形成される採便容器１の内部空間も密封されているので、保存液Ａの液量が変化することがなく、便の保存を適切な量の保存液Ａで適正に行うことができる。
【００５７】
図２０に示すように採便部２１のカップ部６１には、複数或いは単数の貫通孔１５０が設けられていてもよい。これにより、例えば容器本体１１においてカップ部６１の便が保存液Ａと混ざりやすくなる。
【００５８】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００５９】
例えば上記実施の形態において採便部材１０は、スプーン型であったが、便を採取できるものであれば、先端がカップ部でなく、板状や棒状等の他の形状のものであってもよい。手持部２０の通液部３０や孔開け部３１の形状等もこれに限られない。採便部材１０の手持部２０と採便部２１は一体成型されたものであってもよい。蓋体１２の保存液収容部１００の形状等もこれに限られない。嵌合機構５０の構成も上記実施の形態のものに限られない。手持部２０と採便部２１の連結機構も上記実施の形態のものに限られない。蓋体１２と手持部２０との間のシール機構も上記実施の形態のものに限られない。
【産業上の利用可能性】
【００６０】
本発明は、保存液が容器からこぼれることを防止し、取扱いが簡単な採便容器を提供する際に有用である。
【符号の説明】
【００６１】
１  採便容器
１０  採便部材
１１  容器本体
１２  蓋体
２０  手持部
２１  採便部
３０  通液部
３１  孔開け部
５０  嵌合機構
１０２  隔壁
Ａ  保存液
【図１】
2019164002.tif 000003
【図２】
2019164002.tif 000004
【図３】
2019164002.tif 000005
【図４】
2019164002.tif 000006
【図５】
2019164002.tif 000007
【図６】
2019164002.tif 000008
【図７】
2019164002.tif 000009
【図８】
2019164002.tif 000010
【図９】
2019164002.tif 000011
【図１０】
2019164002.tif 000012
【図１１】
2019164002.tif 000013
【図１２】
2019164002.tif 000014
【図１３】
2019164002.tif 000015
【図１４】
2019164002.tif 000016
【図１５】
2019164002.tif 000017
【図１６】
2019164002.tif 000018
【図１７】
2019164002.tif 000019
【図１８】
2019164002.tif 000020
【図１９】
2019164002.tif 000021
【図２０】
2019164002.tif 000022